(57)【特許請求の範囲】
【請求項１】
第１のマルチキャストグループに属する第１の加入者側通信装置と、第２のマルチキャストグループに属し、前記第１の加入者側通信装置よりも高速通信が可能な第２の加入者側通信装置と、を収容し、外部ネットワークとの間の通信速度が、前記第１の加入者側通信装置の通信速度よりも速くかつ前記第２の加入者側通信装置の通信速度以下である局側の通信装置であって、
前記第１の加入者側通信装置に収容された端末が配信を希望するマルチキャスト信号を示す配信希望信号情報を取得する情報取得手段と、
前記外部ネットワークから受信したマルチキャスト信号を、前記第２のマルチキャストグループに対して無条件に転送し、一方、前記第１のマルチキャストグループに対しては、受信したマルチキャスト信号が前記配信希望信号情報に対応する場合、受信したマルチキャスト信号を転送する信号転送手段と、
を備えることを特徴とする通信装置。
【請求項２】
前記情報取得手段は、前記端末がマルチキャスト信号の配信を要求する際に外部ネットワークに向けて送信される配信要求メッセージの内容をsnoopingし、前記配信希望信号情報を取得することを特徴とする請求項１に記載の通信装置。
【請求項３】
前記配信要求メッセージをＭＬＤまたはＩＧＭＰのＪｏｉｎメッセージとすることを特徴とする請求項２に記載の通信装置。
【請求項４】
前記情報取得手段は、前記配信希望信号情報に基づいて、前記第１のマルチキャストグループに対して転送しているマルチキャスト信号の合計トラヒックを算出し、合計トラヒックが前記第１の加入者側通信装置へ送信可能な最大トラヒックに達した状態で前記配信要求メッセージを受信した場合には、当該受信した配信要求メッセージを終端することを特徴とする請求項２または３に記載の通信装置。
【発明の詳細な説明】
【技術分野】
【０００１】
本発明は、光通信システムを構成する通信装置に関し、特に、データ伝送速度が異なる複数種類の加入者側の通信装置（ＯＮＵ：Optical  Network  Unit）を含んだ光通信システムにおける局側の通信装置（ＯＬＴ：Optical  Line  Terminal）に関する。
【背景技術】
【０００２】
光ファイバを使用した通信システムの一つとしてＥｔｈｅｒｎｅｔ（登録商標）フレームを用いてデータ伝送を行うＧＥ−ＰＯＮ（Gigabit  Ethernet（登録商標）−Passive  Optical  Network）システムが存在する。
【０００３】
ＧＥ−ＰＯＮシステムは、局側の通信装置であるＯＬＴと複数の加入者側の通信装置（ＯＮＵ）により構成され、ＯＬＴと各ＯＮＵは光カプラを介して光ファイバで接続される。そして、ＧＥ−ＰＯＮシステムでは、ＯＬＴは局側から加入者側へ向けて送信されるマルチキャスト転送用信号を各ＯＮＵへ転送し、加入者端末を収容している各ＯＮＵは受信した下りトラヒック（マルチキャスト信号）を自身に接続された加入者端末へ転送する必要があるかどうか判断し、不要なものは破棄している（たとえば下記特許文献１参照）。
【０００４】
たとえば、近年普及してきているＧＥ−ＰＯＮシステムを利用した映像信号の配信サービスでは、ＯＬＴは、特定のマルチキャスト信号（チャネル）の受信を希望する加入者が送信した、信号送信側に対するチャネルの配信要求信号（ＭＬＤ(Multicast  Listener  Discovery)／ＩＧＭＰ(Internet  Group  Management  Protocol)  Joinメッセージ）を盗み見て（この動作をSnoopingという）、当該加入者を収容しているＯＮＵに対して、当該Joinメッセージに対応するチャネルを透過させるように指示を行う。ＯＮＵは、ＯＬＴからの指示に従いフィルタリングを行う（指示されたチャネルを透過させる）。
【０００５】
【特許文献１】特開２００６−１３５６７７号公報
【発明の開示】
【発明が解決しようとする課題】
【０００６】
ＧＥ−ＰＯＮシステムでは、現在、１Ｇｂｐｓシステム（帯域が１ＧＢｐｓのシステム）の普及が進んでいるが、将来的には、さらに広帯域なシステム（たとえば１０Ｇｂｐｓシステム）の普及も期待されている。そして、広帯域化（ここでは１０Ｇｂｐｓシステムへの切り替えとする）が進んだ場合、ＯＬＴは１０Ｇｂｐｓ対応であるがこれに接続されたＯＮＵに１Ｇｂｐｓ対応のＯＮＵと１０Ｇｂｐｓ対応のＯＮＵが混在する場合が考えられる。
【０００７】
そのため、たとえば、下り波長は１Ｇｂｐｓと１０Ｇｂｐｓを別波長で伝送する１Ｇｂｐｓ／１０Ｇｂｐｓ混在系で１Ｇｂｐｓ対応ＯＮＵおよび１０Ｇｂｐｓ対応ＯＮＵの両方にマルチキャストを実施することを想定した場合、１０Ｇｂｐｓで提供するすべてのチャネルを１Ｇｂｐｓ対応ＯＮＵへ転送することはできない（たとえば、１２８ｃｈ×２０Ｍｂｐｓ＝２．５Ｇｂｐｓとなるため）。一方、合計帯域を１Ｇｂｐｓに合わせると１０Ｇｂｐｓを有効利用したマルチキャストができない。すなわち、効率的なサービスの提供を実現するためには異速度間での調整が必要となる、という問題があった。
【０００８】
本発明は、上記に鑑みてなされたものであって、帯域幅が異なる複数種類の加入者側の通信装置（ＯＮＵ）を含んだ光通信システムにおいて、通信帯域の効率的な利用を実現する局側の通信装置（ＯＬＴ）を得ることを目的とする。
【課題を解決するための手段】
【０００９】
上述した課題を解決し、目的を達成するために、本発明は、第１のマルチキャストグループに属する第１の加入者側通信装置と、第２のマルチキャストグループに属し、前記第１の加入者側通信装置よりも高速通信が可能な第２の加入者側通信装置と、を収容し、外部ネットワークとの間の通信速度が、前記第１の加入者側通信装置の通信速度よりも速くかつ前記第２の加入者側通信装置の通信速度以下である局側の通信装置であって、前記第１の加入者側通信装置に収容された端末が配信を希望するマルチキャスト信号を示す配信希望信号情報を取得する情報取得手段と、前記外部ネットワークから受信したマルチキャスト信号を、前記第２のマルチキャストグループに対して無条件に転送し、一方、前記第１のマルチキャストグループに対しては、受信したマルチキャスト信号が前記配信希望信号情報に対応する場合、受信したマルチキャスト信号を転送する信号転送手段と、を備えることを特徴とする。
【発明の効果】
【００１０】
この発明によれば、帯域幅が異なる複数種類の加入者側の通信装置が混在するシステムにおいて、局側の通信装置の処理負荷が必要以上に増大するのを抑えつつ帯域を有効利用したマルチキャスト信号の配信サービスを実現できる、という効果を奏する。
【発明を実施するための最良の形態】
【００１１】
以下に、本発明にかかる通信装置および光通信システムの実施の形態を図面に基づいて詳細に説明する。なお、この実施の形態によりこの発明が限定されるものではない。
【００１２】
実施の形態．
図１は、本発明にかかる通信装置を含んだシステムの構成例を示す図である。このシステムは、マルチキャストトラヒックの送信元端末であるサーバ（映像送信装置）１と、ネットワークを構成するルータ２（図１では、簡単のため１つのルータのみを記載）と、帯域が１０ＧｂｐｓのＮＮＩ（Network  Network  Interface）を介してルータ２に接続された局側の通信装置であるＯＬＴ３と、光カプラ４と、光カプラ４を介してＯＬＴ３に接続された、１Ｇｂｐｓ対応の加入者側の通信装置である複数の１Ｇ−ＯＮＵ５および１０Ｇｂｐｓ対応の加入者側の通信装置である複数の１０Ｇ−ＯＮＵ６と、１Ｇ−ＯＮＵ４または１０Ｇ−ＯＮＵ５に接続され、映像受信機としての機能を有するＩＰ−ＳＴＢ（IP-Set  Top  Box）７と、ＩＰ−ＳＴＢ７に接続された加入者端末（映像受像機）８と、を含んでいる。ＯＬＴ３と各ＯＮＵ（１Ｇ−ＯＮＵ５および１０Ｇ−ＯＮＵ６）は光ファイバで接続される。なお、図１では、ルータ２とＯＬＴ３が１対１で接続された例を示しているが、単一のルータ２に対して複数のＯＬＴ３が接続される場合もある。また、単一のＯＮＵ（１Ｇ−ＯＮＵ５，１０Ｇ−ＯＮＵ６）に対して複数のＩＰ−ＳＴＢ７が接続される場合もある。
【００１３】
図１からも明らかなように、本実施の形態のシステムは、単一のＯＬＴ３に１Ｇ−ＯＮＵ５および１０Ｇ−ＯＮＵ６が接続された１Ｇｂｐｓ／１０Ｇｂｐｓ混在系のシステムである。なお、ＯＬＴ３からは、下り方向への送信信号として、１Ｇ−ＯＮＵ５への下り光信号（波長：λ１）と１０Ｇ−ＯＮＵ６への下り光信号（波長：λ２）が多重化された光信号が送出される。
【００１４】
サーバ１は、加入者端末８へ提供可能な映像信号をマルチキャスト送信する。また、ルータ２は、サーバ１やＯＬＴ３から受信した信号を中継転送する。
【００１５】
本発明にかかる通信装置であるＯＬＴ３は、ルータ２からマルチキャスト信号を受信した場合、１０Ｇ−ＯＮＵ６へは無条件に透過させる。一方、１Ｇ−ＯＮＵ５に対しては、当該マルチキャスト信号の配信を希望している加入者端末８が配下に存在する場合に限り透過させる。
【００１６】
１Ｇ−ＯＮＵ５および１０Ｇ−ＯＮＵ６は、光カプラ４経由でＯＬＴ３から受信したマルチキャスト信号を自身に接続されたＩＰ−ＳＴＢ７へ転送する必要があるかどうかを判断し、転送する必要があると判断した場合、転送する。
【００１７】
ＩＰ−ＳＴＢ７は、マルチキャスト送信された映像信号の復調処理および復号処理などを行い、復号された映像信号を加入者端末８へ出力する。
【００１８】
加入者端末８は、ＩＰ−ＳＴＢ７から受け取った映像信号に基づいた画像表示を行う。
【００１９】
ここで、図２を用いて、本発明の特徴的な処理を簡単に説明する。図２は、ＯＬＴ３の動作概念を示す図である。図２に示したように、ＯＬＴ３は、ＮＮＩ経由でルータ２（図１参照）から受信した複数のマルチキャスト信号を、１０−ＧＯＮＵ６に対しては、すべて配信（flooding）する。一方、１Ｇ−ＯＮＵ５に対しては必要な信号のみを選択して配信する。必要な信号とは１Ｇ−ＯＮＵ５経由でＩＰ−ＳＴＢ７から配信要求を受けた信号をいう。このような処理を本発明では擬似マルチキャストルータ（Multicast  Router）機能と呼ぶ。
【００２０】
上記のマルチキャスト信号配信処理を実現するために、擬似マルチキャストルータは１Ｇ−ＯＮＵ５経由で受信したＭＬＤ／ＩＧＭＰ  Joinメッセージ（マルチキャスト信号配信要求）をsnoopingし、加入者が配信（視聴）を希望しているマルチキャスト信号の情報を取得する。以降、擬似マルチキャストルータは、取得した情報に対応するマルチキャスト信号を受信したかどうかを監視し、受信した場合にはそのマルチキャスト信号を１Ｇ−ＯＮＵ５へ配信する（透過する）。なお、上述したように、１０−ＧＯＮＵ６に対しては、受信したすべてのマルチキャスト信号を配信する。
【００２１】
つづいて、ＯＬＴ３、１Ｇ−ＯＮＵ５および１０Ｇ−ＯＮＵ６の構成と簡単な動作について説明する。
【００２２】
図３は、本発明にかかる局側の通信装置であるＯＬＴ３の構成例を示す図である。ＯＬＴ３は、マルチキャスト監視部１１と、マルチトラヒック制御部１２と、ＭＵＸ（multiplexer）部１３と、ＤＥＭＵＸ（demultiplexer）部１４と、１Ｇ系の処理（１Ｇ−ＯＮＵ５との通信制御関連処理）を行うブロックであるＶＬＡＮ（Virtual  Local  Area  Network）処理部１５1、ＯＡＭ（Operations  Administration  and  Maintenance）フレーム制御部１６1およびＰＯＮ制御部１７1と、１０Ｇ系の処理（１０Ｇ−ＯＮＵ６との通信制御関連処理）を行うブロックであるＶＬＡＮ処理部１５2、ＯＡＭフレーム制御部１６2およびＰＯＮ制御部１７2と、Ｏ／Ｅ変換部１８と、ＷＤＭ部１９と、を備える。
【００２３】
情報取得手段としての機能を有するマルチキャスト監視部１１は、ルータ２からマルチキャスト信号（マルチキャストトラヒック）を受信し、それをマルチキャストトラヒック制御部１２へ転送する。また、加入者側からサーバ１に向けて送信されたJoinメッセージを受信した場合、その内容を確認（snooping）し、自装置（ＯＬＴ３）および当該Joinメッセージを送信したＯＮＵ（１Ｇ−ＯＮＵ５または１０ＧＯＮＵ６）におけるフィルタ設定の更新制御を行う。
【００２４】
信号転送手段としての機能を有するマルチキャストトラヒック制御部１２は、マルチキャスト監視部１１から受け取ったマルチキャスト信号を１Ｇ−ＯＮＵ５へ転送するかどうかを判断する。そして、「転送する」と判断した場合、１Ｇ−ＯＮＵ５に向けて送信するマルチキャストトラヒックおよび１０Ｇ−ＯＮＵ６に向けて送信するマルチキャストトラヒックを生成する。また、「転送しない」と判断した場合には、１０Ｇ−ＯＮＵ６に向けて送信するマルチキャストトラヒックのみを生成する。
【００２５】
ＭＵＸ部１３は、ＶＬＡＮ処理部１５1から受信した信号およびＶＬＡＮ処理部１５2から受信した信号を多重化してマルチキャスト監視部１１へ出力する。
【００２６】
ＤＥＭＵＸ部１４は、マルチキャストトラヒック制御部１２から受け取ったマルチキャスト信号を、その配信先に応じて、ＶＬＡＮ処理部１５2、またはＶＬＡＮ処理部１５1およびＶＬＡＮ処理部１５2の双方、へ出力する。
【００２７】
ＶＬＡＮ処理部１５1は、ＯＬＴ３が収容している１Ｇ−ＯＮＵ５により構成されたＶＬＡＮのＶＬＡＮ処理を行う。たとえば、１Ｇ−ＯＮＵ５に向けたマルチキャスト信号に対して、それを示すＶＩＤ（VLAN-ID）を付与する。また、１Ｇ−ＯＮＵ５から受け取った信号に付与されているＶＩＤを除去する。
【００２８】
ＶＬＡＮ処理部１５2は、ＯＬＴ３が収容している１０Ｇ−ＯＮＵ６により構成されたＶＬＡＮのＶＬＡＮ処理を行う。たとえば、１０Ｇ−ＯＮＵ６に向けたマルチキャスト信号に対するＶＩＤの付与、１０Ｇ−ＯＮＵ６から受け取った信号に付与されているＶＩＤの除去、などを行う。
【００２９】
ＯＡＭフレーム制御部１６1は、ＯＡＭフレームを使用して、１Ｇ−ＯＮＵ５が透過させるマルチキャスト信号のマルチキャストアドレスを１Ｇ−ＯＮＵ５へ通知する。
【００３０】
ＯＡＭフレーム制御部１６2は、ＯＡＭフレームを使用して、１０Ｇ−ＯＮＵ６が透過させるマルチキャスト信号のマルチキャストアドレスを１０Ｇ−ＯＮＵ６へ通知する。
【００３１】
ＰＯＮ制御部１７1は、１Ｇ−ＯＮＵ５との間でＰＯＮ制御を行い、ＰＯＮ制御部１７2は、１０Ｇ−ＯＮＵ６との間でＰＯＮ制御を行う。
【００３２】
Ｏ／Ｅ変換部１８は、光信号として入力された上り方向の信号を電気信号へ変換し、また、電気信号として入力された下り方向の信号を光信号へ変換する。なお、本実施の形態では、上述したように１Ｇ−ＯＮＵ５へ送信する光信号の波長がλ１、１０Ｇ−ＯＮＵ６へ送信する光信号の波長がλ２である。
【００３３】
ＷＤＭ（Wavelength  Division  Multiplexing）部１９は、Ｏ／Ｅ変換部１８から受け取った１Ｇ−ＯＮＵ５へ向けた光信号（波長がλ１の光信号）と１０Ｇ−ＯＮＵ６へ向けた光信号（波長がλ２の光信号）を波長分割多重化して送信する。また、波長分割多重化された上り方向の光信号を受信した場合、多重化を解いて各光信号を分離し、それぞれの信号に対応したＯ／Ｅ変換部１８へ振り分ける。なお、本実施の形態では、１Ｇ−ＯＮＵ５から送信された光信号の波長をλ３とし、１０Ｇ−ＯＮＵ６から送信された信号の波長をλ４とする。
【００３４】
図４は、１Ｇ−ＯＮＵ５の構成例を示す図である。１Ｇ−ＯＮＵ５は、ＷＤＭ部２１と、Ｏ／Ｅ変換部２２と、ＰＯＮ制御部２３と、ＯＡＭフレーム制御部２４と、トラヒックフィルタ部２５と、ＶＬＡＮ処理部２６と、を備える。１Ｇ−ＯＮＵ５は、ＯＬＴ３との間でやり取りする上り／下り方向の光信号を波長分割多重化して単一の光ファイバ経由で送受信する。
【００３５】
ＷＤＭ部２１は、Ｏ／Ｅ変換部２２から受け取ったＯＬＴ３へ向けた光信号（波長がλ３の光信号）およびＯＬＴ３からの光信号（波長がλ１の光信号）を波長分割多重化して送受信する。
【００３６】
Ｏ／Ｅ変換部２２は、ＯＬＴ３から受信した光信号を電気信号へ変換し、また、ＰＯＮ制御部２３から受信した電気信号を光信号へ変換する。
【００３７】
ＰＯＮ制御部２３は、ＯＬＴ３のＰＯＮ制御部１７1との間でＰＯＮ制御を行う。
【００３８】
ＯＡＭフレーム制御部２４は、ＯＬＴ３のＯＡＭフレーム制御部１６1から送信されたＯＡＭフレームを受信し、その内容に従いトラヒックフィルタ部２５のフィルタ設定を制御する。
【００３９】
トラヒックフィルタ部２５は、ＯＡＭフレーム制御部２４からの指示に従い、マルチキャスト信号のフィルタリングを行う。具体的には、ＯＬＴ３から指定されたマルチキャストアドレスの信号を受信した場合、それを透過させ、指定されたマルチキャストアドレス以外の信号については破棄する。
【００４０】
ＶＬＡＮ処理部２６は、ＯＬＴ３のＶＬＡＮ処理部１５1との間でＶＬＡＮ処理を行う。たとえば、接続されたＩＰ−ＳＴＢ７からＯＬＴ３に向けた信号を受信した場合、当該信号に対して、１Ｇ−ＯＮＵ５から中継転送された信号を示すＶＩＤを付与する。また、ＯＬＴ３から受け取った信号に付与されているＶＩＤを除去する。
【００４１】
図５は、１０Ｇ−ＯＮＵ６の構成例を示す図である。１０Ｇ−ＯＮＵ６は、ＷＤＭ部３１と、Ｏ／Ｅ変換部３２と、ＰＯＮ制御部３３と、ＯＡＭフレーム制御部３４と、トラヒックフィルタ部３５と、ＶＬＡＮ処理部３６と、を備える。１０Ｇ−ＯＮＵ６も、１Ｇ−ＯＮＵ５と同様に、ＯＬＴ３との間でやり取りする上り／下り方向の光信号を波長分割多重化して単一の光ファイバ経由で送受信する。
【００４２】
ＷＤＭ部３１は、Ｏ／Ｅ変換部３２から受け取ったＯＬＴ３へ向けた光信号（波長がλ４の光信号）およびＯＬＴ３からの光信号（波長がλ２の光信号）を波長分割多重化して送受信する。
【００４３】
Ｏ／Ｅ変換部３２は、ＯＬＴ３から受信した光信号を電気信号へ変換し、また、ＰＯＮ制御部３３から受信した電気信号を光信号へ変換する。
【００４４】
ＰＯＮ制御部３３は、ＯＬＴ３のＰＯＮ制御部１７2との間でＰＯＮ制御を行う。
【００４５】
ＯＡＭフレーム制御部３４は、ＯＬＴ３のＯＡＭフレーム制御部１６1から送信されたＯＡＭフレームを受信し、その内容に従いトラヒックフィルタ部３５のフィルタ設定を制御する。
【００４６】
トラヒックフィルタ部３５は、ＯＡＭフレーム制御部３４からの指示に従い、マルチキャスト信号のフィルタリングを行う。具体的には、ＯＬＴ３から指定されたマルチキャストアドレスの信号を受信した場合、それを透過させ、指定されたマルチキャストアドレス以外の信号については破棄する。
【００４７】
ＶＬＡＮ処理部３６は、ＯＬＴ３のＶＬＡＮ処理部１５2との間でＶＬＡＮ処理を行う。たとえば、接続されたＩＰ−ＳＴＢ７からＯＬＴ３に向けた信号を受信した場合、当該信号に対して、１０Ｇ−ＯＮＵ６から中継転送された信号を示すＶＩＤを付与する。また、ＯＬＴ３から受け取った信号に付与されているＶＩＤを除去する。
【００４８】
つづいて、上記構成のシステムにおいて特定の加入者端末８がサーバ１に対してチャネルの視聴要求（映像信号の配信要求）を行った場合の各部の動作について、図６を用いて説明する。なお、図６は、図１に示したシステムにおける映像配信動作の一例を示すシーケンス図である。
【００４９】
このシステムでは、基本的には、サーバ１が加入者端末８に提供可能な映像信号（チャネル）のすべてが、サーバ１から各ＯＮＵ（すべての１Ｇ−ＯＮＵ５および１０Ｇ−ＯＮＵ６）に向けてマルチキャスト送信されるものとする。また、各１Ｇ−ＯＮＵ５には同一のＶＩＤ（αとする）が付与され、各１０Ｇ−ＯＮＵ６にも同一のＶＩＤ（βとする。ただし、α≠β）が付与されているものとする。
【００５０】
サーバ１は、加入者端末８に提供可能な映像信号を、マルチキャスト送信する。マルチキャストされた映像信号（以下、ＭＣトラヒックと呼ぶ）は、ルータ２によりＯＬＴ３へ転送され、ＯＬＴ３は、受信したＭＣトラヒックを１Ｇ−ＯＮＵ５へ転送する必要があるかどうかを判断する。そして、転送の必要ありと判断した場合、転送を行う（ＭＣトラヒックを透過させる）。一方、１０Ｇ−ＯＮＵ６に対しては、受信したＭＣトラヒックのすべてを無条件に転送する（ステップＳ１，Ｓ２）。なお、図６のステップＳ１は、１Ｇ−ＯＮＵ５へ転送する必要がないと判断し、ＭＣトラヒックを破棄する場合の例を示している。また、ＭＣトラヒックの破棄は、マルチキャストトラヒック制御部１２（図３参照）が行う。
【００５１】
その後、１Ｇ−ＯＮＵ５に接続されたＩＰ−ＳＴＢ７からサーバ１に対して映像信号の配信要求（視聴要求）を示すJoinメッセージが送信された場合（ステップＳ３）、ＯＬＴ３は、Joinメッセージをsnoopingし、Joinメッセージの内容を確認する。またJoinメッセージをサーバ１宛に転送する（ステップＳ４）。そして、ＯＬＴ３は、Joinメッセージが示すＭＣトラヒックを１Ｇ−ＯＮＵ５へ透過するように内部フィルタ（擬似マルチキャストルータ）を設定する（ステップＳ５）。さらに、ＯＬＴ３は、Joinメッセージの送信元ＩＰ−ＳＴＢ７が接続されている１Ｇ−ＯＮＵ５に対して、Joinメッセージが示すＭＣトラヒックをＩＰ−ＳＴＢ７へ透過させるように、ＯＡＭフレームを用いて指示を行う（ステップＳ６）。１Ｇ−ＯＮＵ５は、ＯＬＴ３からの指示内容に従いフィルタ設定を行う（ステップＳ７）。
【００５２】
ここで、図７を用いて上記ステップＳ３〜Ｓ７の動作を詳しく説明する。ＯＬＴ３は、収容している各ＯＮＵ（１Ｇ−ＯＮＵ５，１０Ｇ−ＯＮＵ）からJoinメッセージを受信したかどうかを監視している（ステップＳ１１）。具体的には、マルチキャスト監視部１１（図３参照）が、Joinメッセージを受信したかどうかを監視する。そして、Joinメッセージを受信した場合（ステップＳ１１，Ｙｅｓ）、マルチキャスト監視部１１は、Joinメッセージをsnoopingして視聴要求対象のＭＣトラヒック（受信したJoinメッセージが示す、加入者端末が配信を希望するＭＣトラヒック）を確認するとともに、当該Joinメッセージが１Ｇ−ＯＮＵ５経由で受信したメッセージかどうかを確認する（ステップＳ１２）。１Ｇ−ＯＮＵ５経由で受信したかどうかは、たとえば、受信したJoinメッセージに付与されていたＶＩＤの内容から判断する。
【００５３】
Joinメッセージを１Ｇ−ＯＮＵ５経由で受信した場合（ステップＳ１２，Ｙｅｓ）、マルチキャスト監視部１１は、その旨を視聴要求対象のＭＣトラヒック（以後、１Ｇ視聴対象トラヒックと呼ぶ）の情報とともにマルチキャストトラヒック制御部１２へ通知し、以降、当該１Ｇ視聴対象トラヒックを１Ｇ−ＯＮＵ５へ透過させるように、マルチキャストトラヒック制御部１２に対して指示を行う（ステップＳ１３）。指示を受けたマルチキャストトラヒック制御部１２は、マルチキャスト監視部１１から通知された１Ｇ視聴対象トラヒックの情報を記憶しておく。そして、これ以降、マルチキャストトラヒック制御部１２は、サーバ１から受信したすべてのＭＣトラヒック（上記１Ｇ視聴対象トラヒックを含む）を１０Ｇ−ＯＮＵ６へ透過し、一方、１Ｇ−ＯＮＵ５に対しては、１Ｇ視聴対象トラヒックのみを透過する。すなわち、記憶している１Ｇ視聴対象トラヒック情報に対応するＭＣトラヒックのみを１Ｇ−ＯＮＵ５へ透過する。
【００５４】
また、マルチキャスト監視部１１は、１Ｇ視聴対象トラヒックの情報および上記Joinメッセージの送信元ＩＰ−ＳＴＢ７の情報を１Ｇ−ＯＮＵ５へ通知し、当該１Ｇ視聴対象トラヒックを当該送信元ＩＰ−ＳＴＢ７（視聴要求元ＩＰ−ＳＴＢ７）へ透過させるように、Joinメッセージの転送元１Ｇ−ＯＮＵ５に対して指示を行う（ステップＳ１４）。なお、１Ｇ−ＯＮＵ５に対する指示はＯＡＭフレームを利用して行う。１Ｇ−ＯＮＵ５に向けて送信するＯＡＭフレームは、ＯＡＭフレーム制御部１６1が生成する。
【００５５】
１Ｇ−ＯＮＵ５は、ＯＬＴ３（マルチキャスト監視部１１）からの指示内容に従い、フィルタ設定を変更する。具体的には、ＯＬＴ３のＯＡＭフレーム制御部１６1から送信されたＯＡＭフレームをＯＡＭフレーム制御部２４が受信し、ＯＡＭフレーム制御部２４は、さらに、受信したＯＡＭフレームに含まれる指示内容に対応するトラヒック（１Ｇ視聴対象トラヒック）を透過させるように、トラヒックフィルタ部２５の設定を変更する。これ以降、１Ｇ−ＯＮＵ５のトラヒックフィルタ部２５は、ＯＬＴ３から受信した１Ｇ視聴対象トラヒックをＩＰ−ＳＴＢ７へ透過させる。なお、１Ｇ視聴対象トラヒックは複数存在する場合もある。
【００５６】
一方、上記Joinメッセージを１０Ｇ−ＯＮＵ６経由で受信した場合（ステップＳ１２，Ｎｏ）、マルチキャスト監視部１１は、当該Joinメッセージが示す視聴要求対象のＭＣトラヒック（以後、１０G視聴対象トラヒックと呼ぶ）の情報および当該Joinメッセージの送信元ＩＰ−ＳＴＢ７の情報を１０Ｇ−ＯＮＵ６へ通知し、当該１０Ｇ視聴対象トラヒックを当該送信元ＩＰ−ＳＴＢ７（視聴要求元ＩＰ−ＳＴＢ７）へ透過させるように、Joinメッセージの転送元１０Ｇ−ＯＮＵ６に対して指示を行う（ステップＳ１４）。なお、１０Ｇ−ＯＮＵ６に対する指示はＯＡＭフレームを利用して行う。１０Ｇ−ＯＮＵ６に向けて送信するＯＡＭフレームは、ＯＡＭフレーム制御部１６2が生成する。
【００５７】
１０Ｇ−ＯＮＵ６は、ＯＬＴ３（マルチキャスト監視部１１）からの指示内容に従い、フィルタ設定を変更する。具体的には、ＯＬＴ３のＯＡＭフレーム制御部１６2から送信されたＯＡＭフレームをＯＡＭフレーム制御部３４が受信し、ＯＡＭフレーム制御部３４は、さらに、受信したＯＡＭフレームに含まれる指示内容に対応するトラヒック（１０Ｇ視聴対象トラヒック）を透過させるように、トラヒックフィルタ部３５の設定を変更する。これ以降、１０Ｇ−ＯＮＵ６のトラヒックフィルタ部３５は、ＯＬＴ３から受信した１０Ｇ視聴対象トラヒックをＩＰ−ＳＴＢ７へ透過させる。なお、１０Ｇ視聴対象トラヒックは複数存在する場合もある。
【００５８】
図６の説明に戻り、ＯＬＴ３の内部フィルタ設定および１Ｇ−ＯＮＵ５のフィルタ設定が終了後、サーバ１から上記Joinメッセージに対応する１Ｇ向けＭＣトラヒック（１Ｇ視聴対象トラヒック）を受信した場合、ＯＬＴ３は、受信した１Ｇ視聴対象トラヒックを１Ｇ−ＯＮＵ５へ透過させる（ステップＳ８）。また、１Ｇ視聴対象トラヒックを受信した場合、１Ｇ−ＯＮＵ５は、受信した１Ｇ視聴対象トラヒックを透過させる（ステップＳ９）。
【００５９】
なお、上記のような制御を行ったとしても、異なる映像信号の配信を要求する端末が１Ｇ−ＯＮＵ５配下に多数存在する場合には、合計トラヒックが最大値（１Ｇｂｐｓ）を超えてしまう可能性がある。そのため、ＯＬＴ３は、１Ｇ−ＯＮＵ５に向けて配信している（透過させている）チャネル数を記憶することでトラヒックの合計値を算出して把握しておき、１Ｇ−ＯＮＵ５に向けたトラヒックの合計が最大値に達した場合には、それ以上のＭＣトラヒックを透過させないように管理するようにしてもよい。この場合、ＯＬＴ３では、たとえば、マルチキャスト監視部１２が、１Ｇ−ＯＮＵ５から受け取ったJoinメッセージをネットワーク（ルータ２）へ透過せずに終端し、配信要求を受け付けることができない旨を示す応答メッセージを、サーバ１に代わってJoinメッセージの送信元へ送信（発行）する。これにより、１Ｇ−ＯＮＵ５に向けた送信信号の合計トラヒックが最大値を超えるのを防止できる。
【００６０】
また、上記説明においては帯域幅が１Ｇｂｐｓと１０ＧｂｐｓのＯＮＵが混在する場合について示したが、他の帯域幅の組合せに対しても本発明を適用できる。
【００６１】
また、上記説明では、帯域幅が異なる２種類のＯＮＵをＯＬＴが収容する場合の例について示したが、３種類以上のＯＮＵをＯＬＴが収容する構成であってもよい。なお、ＯＮＵが３種類以上の場合も、ＯＮＵが２種類の場合と同様に、ＯＬＴは、帯域幅が最大のＯＮＵに対しては全チャネルを透過させ、それ以外のＯＮＵに対しては、必要なチャネル（Joinメッセージにて視聴要求を受けたチャネル）のみを透過させるようにする。
【００６２】
このように、本実施の形態では、ＯＬＴは、帯域幅が狭いＯＮＵ（１Ｇ−ＯＮＵ５）に対しては、必要なマルチキャスト信号以外は透過しないようにフィルタリングを行い、帯域幅が十分に広いＯＮＵ（１０Ｇ−ＯＮＵ６）に対しては、すべてのマルチキャスト信号を透過するようにした。これにより、帯域幅が異なる複数種類のＯＮＵが混在するシステムにおいて、帯域幅が最大のＯＮＵに合わせた帯域をシステムに割り当て、システムの帯域幅を有効利用したマルチキャスト信号の配信サービスが実現できる。また、すべてのマルチキャスト信号を透過させても問題が発生しない、帯域幅が十分に広いＯＮＵに向けたマルチキャスト信号についてはすべて透過させるようにしたので、ＯＬＴの処理負荷が必要以上に増大するのを防止できる。すなわち、ＯＬＴの処理負荷が必要以上に増大するのを抑えつつ帯域を有効利用したマルチキャスト信号の配信サービスを実現できる。
【産業上の利用可能性】
【００６３】
以上のように、本発明にかかる通信装置は、光通信を利用した通信システムに有用であり、特に、帯域の異なる複数種類の加入者側通信装置（ＯＮＵ）を収容する局側の通信装置（ＯＬＴ）に適している。
【図面の簡単な説明】
【００６４】
【図１】本発明にかかる通信装置を含んだシステムの構成例を示す図である。
【図２】ＯＬＴの動作概念を示す図である。
【図３】ＯＬＴの構成例を示す図である。
【図４】１Ｇ−ＯＮＵの構成例を示す図である。
【図５】１０Ｇ−ＯＮＵの構成例を示す図である。
【図６】映像配信動作の一例を示すシーケンス図である。
【図７】Joinメッセージを受信したＯＬＴの動作例を示すフローチャートである。
【符号の説明】
【００６５】
１  サーバ（映像送信装置）
２  ルータ
３  ＯＬＴ
４  光カプラ
５  １Ｇ−ＯＮＵ
６  １０Ｇ−ＯＮＵ
７  ＩＰ−ＳＴＢ
８  加入者端末（映像受像機）
１１  マルチキャスト監視部
１２  マルチトラヒック制御部
１３  ＭＵＸ部
１４  ＤＥＭＵＸ部
１５1、１５2、２６、３６  ＶＬＡＮ処理部
１６1、１６2、２４、３４  ＯＡＭフレーム制御部
１７1、１７2、２３、３３  ＰＯＮ制御部
１８、２２、３２  Ｏ／Ｅ変換部
１９、２１、３１  ＷＤＭ部
２５、３５  トラヒックフィルタ部
【図１】
0005004776.tif 000002
【図２】
0005004776.tif 000003
【図３】
0005004776.tif 000004
【図４】
0005004776.tif 000005
【図５】
0005004776.tif 000006
【図６】
0005004776.tif 000007
【図７】
0005004776.tif 000008